(57)【特許請求の範囲】
【請求項１】
各々が一または複数の文字の一部または全体を模した複数の演出部材を有する文字演出ユニットを備え、
前記文字演出ユニットは、
前記複数の演出部材によって第一文字列が構築された状態と、
前記複数の演出部材のうちの少なくとも一つの演出部材が移動することにより、当該移動する演出部材が当該演出部材の一方側に位置する一または複数の演出部材の少なくとも一部を覆い、前記第一文字列とは異なる第二文字列が構築された状態と、
のいずれかに変位するものであって、
前記移動する演出部材に覆われる部分が模す文字は、当該移動する演出部材の移動方向に沿う画のみを有し、当該移動する演出部材のガイドとなることを特徴とする遊技機。
【請求項２】
前記文字演出ユニットは、少なくとも第一位置と第二位置との間を移動可能であり、一方の位置から他方の位置に移動する際に、少なくとも一つの演出部材が移動することにより、前記第一位置に位置するときに前記第一文字列が構築され、前記第二位置に位置するときに第二文字列が構築されることを特徴とする請求項１に記載の遊技機。
【請求項３】
遊技者に視認可能な所定位置に位置することが可能であり、一または複数の文字の一部または全体を模した第三文字列を構築する第一装飾部材を備え、
前記文字演出ユニットが第一位置または第二位置に位置し、前記第一装飾部材が所定位置に位置することで、前記第一文字列または前記第二文字列と前記第三文字列が組み合わされた複合文字列が構築されることを特徴とする請求項２に記載の遊技機。
【請求項４】
遊技者に視認可能な所定位置に位置することが可能であり、一または複数の文字の一部または全体を模した第三文字列を構築する第一装飾部材と、
遊技者に視認可能な所定位置に位置することが可能であり、一または複数の文字の一部または全体を模した第四文字列を構築する第二装飾部材と、
を備え、
前記文字演出ユニットが第一位置または第二位置の一方に位置し、前記第一装飾部材が所定位置に位置することで、前記第一文字列または前記第二文字列の一方と前記第三文字列が組み合わされた第一複合文字列が構築され、
前記文字演出ユニットが第一位置または第二位置の他方に位置し、前記第二装飾部材が所定位置に位置することで、前記第一文字列または前記第二文字列の他方と前記第四文字列が組み合わされた第二複合文字列が構築される
ことを特徴とする請求項２に記載の遊技機。
【発明の詳細な説明】
【技術分野】
【０００１】
本発明は、文字演出ユニットを備えた遊技機に関する。
【背景技術】
【０００２】
下記特許文献１には、文字があたかも発光したかのように振る舞う文字役物（４１、４２）を備えた遊技機が記載されている。かかる文字役物は、発光色を変化させることができるものの、文字の態様を変化させることができるものではなく、演出の面白みに欠ける。
【先行技術文献】
【特許文献】
【０００３】
【特許文献１】特開２０１０−１７２３９８号公報
【発明の概要】
【発明が解決しようとする課題】
【０００４】
本発明は、優れた演出効果を発揮する文字演出ユニットを備えた遊技機を提供することにある。
【課題を解決するための手段】
【０００５】
上記課題を解決するためになされた請求項１の発明にかかる遊技機は、各々が一または複数の文字の一部または全体を模した複数の演出部材を有する文字演出ユニットを備え、前記文字演出ユニットは、前記複数の演出部材によって第一文字列が構築された状態と、前記複数の演出部材のうちの少なくとも一つの演出部材が移動することにより、当該移動する演出部材が当該演出部材の一方側に位置する一または複数の演出部材の少なくとも一部を覆い、前記第一文字列とは異なる第二文字列が構築された状態と、のいずれかに変位するものであって、前記移動する演出部材に覆われる部分が模す文字は、当該移動する演出部材の移動方向に沿う画のみを有し、当該移動する演出部材のガイドとなることを特徴とする。
【０００６】
請求項２に記載の発明は、請求項１に記載の遊技機において、前記文字演出ユニットは、少なくとも第一位置と第二位置との間を移動可能であり、一方の位置から他方の位置に移動する際に、少なくとも一つの演出部材が移動することにより、前記第一位置に位置するときに前記第一文字列が構築され、前記第二位置に位置するときに第二文字列が構築されることを特徴とする。
【０００７】
請求項３に記載の発明は、請求項２に記載の遊技機において、遊技者に視認可能な所定位置に位置することが可能であり、一または複数の文字の一部または全体を模した第三文字列を構築する第一装飾部材を備え、前記文字演出ユニットが第一位置または第二位置に位置し、前記第一装飾部材が所定位置に位置することで、前記第一文字列または前記第二文字列と前記第三文字列が組み合わされた複合文字列が構築されることを特徴とする。
【０００８】
請求項４に記載の発明は、請求項２に記載の遊技機において、遊技者に視認可能な所定位置に位置することが可能であり、一または複数の文字の一部または全体を模した第三文字列を構築する第一装飾部材と、遊技者に視認可能な所定位置に位置することが可能であり、一または複数の文字の一部または全体を模した第四文字列を構築する第二装飾部材と、を備え、前記文字演出ユニットが第一位置または第二位置の一方に位置し、前記第一装飾部材が所定位置に位置することで、前記第一文字列または前記第二文字列の一方と前記第三文字列が組み合わされた第一複合文字列が構築され、
前記文字演出ユニットが第一位置または第二位置の他方に位置し、前記第二装飾部材が所定位置に位置することで、前記第一文字列または前記第二文字列の他方と前記第四文字列が組み合わされた第二複合文字列が構築されることを特徴とする。
【発明の効果】
【００１０】
請求項１に記載の発明は、複数の演出部材によって第一文字列が構築された状態と、複数の演出部材のうちの少なくとも一つの演出部材が移動することにより、当該移動する演出部材が他の演出部材の少なくとも一部を覆い、または当該移動する演出部材の少なくとも一部が他の演出部材に覆われ、第二文字列が構築された状態のいずれかに変位する。つまり、ある演出部材の移動によって、複数の演出部材によって構築される文字列が変化するから、従来に比して演出効果（装飾効果）を向上させることが可能である。
また、移動した演出部材に覆われる部分が模す文字が、当該移動した演出部材の移動方向に沿う画のみを有するものであれば、当該文字を、移動する演出部材を誘導するガイドとしても機能させることが可能となる。
【００１１】
請求項２に記載の発明のように、ユニット全体が移動する構成とし、当該移動によって構築される文字列が変化する構成とすれば、ユニット全体の移動と文字列の変化が合わさるため、さらに演出効果を向上させることが可能となる。
【００１２】
請求項３に記載の発明のように、演出ユニットが構築する文字列と、第一装飾部材が構築する文字列と組み合わされて、複合文字列が構成される態様とすれば、演出ユニットが第一位置に位置するときと、第二位置に位置するときとで構成される文字列（複合文字列）の違いが大きくなるから、演出ユニットの位置が変化したときの演出効果を向上させることが可能となる。また、演出ユニットがその位置によって第一文字列または第二文字列に変化するものであることを利用し、一方の文字列を第一装飾部材が構築する文字列と組み合わせることができる文字列とすることが可能である。
【００１３】
請求項４に記載の発明のように、演出ユニットが構築する文字列と、第一装飾部材または第二装飾部材が構築する文字列と組み合わされて、複合文字列が構成される態様とすれば、演出ユニットが第一位置に位置するときと、第二位置に位置するときとで構成される複合文字列の違いが大きくなるから、演出ユニットの位置が変化したときの演出効果を向上させることが可能となる。また、演出ユニットがその位置によって第一文字列または第二文字列に変化するものであることを利用し、一方の文字列を第一装飾部材が構築する文字列と組み合わせることができる文字列とし、他方の文字列を第二装飾部材が構築する文字列と組み合わせることができる文字列とすることが可能である。
【図面の簡単な説明】
【００１５】
【図１】本発明の一実施形態にかかる遊技機の正面図であって、第一複合文字列が構築された状態を示した図である。
【図２】本発明の一実施形態にかかる遊技機の正面図であって、第二複合文字列が構築された状態を示した図である。
【図３】センターベースおよびそれに固定された文字演出ユニットを示した図であって、文字演出ユニットが第一位置に位置した状態を示した図である。
【図４】センターベースおよびそれに固定された文字演出ユニットを示した図であって、文字演出ユニットが第二位置に位置した状態を示した図である。
【図５】第一位置に位置する文字演出ユニットの正面図（前方から見た図）である。
【図６】第一位置に位置する文字演出ユニットの背面図（後方から見た図）である。
【図７】第一被誘導部が第一誘導溝の第一の部分に嵌まり込んだ状態のまま、第二被誘導部が第二誘導溝の第三の部分から第一の部分に嵌まり込んだ状態に変化したときにおける文字演出ユニットの正面図（前方から見た図）である。
【図８】第一被誘導部が第一誘導溝の第一の部分に嵌まり込んだ状態のまま、第二被誘導部が第二誘導溝の第三の部分から第一の部分に嵌まり込んだ状態に変化したときにおける文字演出ユニットの背面図（後方から見た図）である。
【図９】第一被誘導部が第一誘導溝の第一の部分に嵌まり込んだ状態から第二の部分に嵌まり込んだ状態に、第二被誘導部が第二誘導溝の第一の部分に嵌まり込んだ状態から第二の部分に嵌まり込んだ状態に変化したときにおける文字演出ユニットの正面図（前方から見た図）である。
【図１０】第一被誘導部が第一誘導溝の第一の部分に嵌まり込んだ状態から第二の部分に嵌まり込んだ状態に、第二被誘導部が第二誘導溝の第一の部分に嵌まり込んだ状態から第二の部分に嵌まり込んだ状態に変化したときにおける文字演出ユニットの背面図（後方から見た図）である。
【図１１】第二位置に位置する文字演出ユニットの正面図（前方から見た図）である。
【図１２】第二位置に位置する文字演出ユニットの背面図（後方から見た図）である。
【図１３】演出部材の外観を模式的に示した図である。
【図１４】第一変形例にかかる文字演出ユニットを説明するための図である。
【図１５】第二変形例にかかる文字演出ユニットを説明するための図である。
【図１６】第三変形例にかかる文字演出ユニットを説明するための図である。
【図１７】第四変形例にかかる文字演出ユニットを説明するための図である。
【発明を実施するための形態】
【００１６】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、上下方向とは図１および図２における上下方向を、幅方向（左右方向）とは図１および図２における左右方向をいうものとする。
【００１７】
まず、図１および図２を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１８】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１９】
本実施形態にかかる遊技機１では、所定の演出を行う文字演出ユニット１ｍ（文字演出装置）が設けられている。この文字演出ユニット１ｍの構成および作用の詳細については後述する。
【００２０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２１】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２２】
以下、図１〜図１３を参照して文字演出ユニット１ｍについて説明する。文字演出ユニット１ｍは、ベース部材１０、回転部材２０、第一演出部材３０、および第二演出部材４０を備え、遊技盤９０の後方に設けられるセンターベース９２に取り付けられている（図３、図４参照）。
【００２３】
センターベース９２には、文字演出ユニット１ｍを構成する各部材を支持するサブベース７０が固定されている。本実施形態では、サブベース７０はセンターベース９２の左側に固定されている。サブベース７０には、文字演出ユニット１ｍを動作させるための駆動源であるモータ７１が固定されている。本実施形態にかかる文字演出ユニット１ｍは、当該一のモータ７１によって、後述するように各部材を動作させるものである。
【００２４】
図５〜図１２に示すように、サブベース７０には、細長い軸状の部材である伝達部材５０の一端が回動自在に接続されている。伝達部材５０の他端は、ベース部材１０の後面に回動自在に接続されている（詳細を後述するベース接続部５１が回転自在に支持されている）。駆動源の動力は、歯車等から構成される動力伝達機構を介して伝達部材５０に伝達される。駆動源の動力を受けた伝達部材５０は、サブベース、すなわち遊技機１の本体側に接続された箇所を回動中心として回動する。これにより、伝達部材５０の他端の位置が当該回動中心を中心として移動する。つまり、ベース部材１０の位置が移動する。なお、駆動源の動力を伝達部材５０にまで伝達する動力伝達機構の構成は、伝達部材５０が上述した動作を行うように駆動源の動力を伝達するものであればどのような構成であってもよいため、説明は省略する。
【００２５】
また、サブベース７０には、伝達部材５０と同様の細長い軸状の部材である支持部材５３の一端が回動自在に接続されている。支持部材５３の他端は、ベース部材１０の後面に回動自在に接続されている。つまり、支持部材５３は、伝達部材５０とともに、一端が遊技機１の本体側に接続され、他端がベース部材１０に接続された部材である。ただし、支持部材５３にはモータ７１の動力が伝達されない。モータ７１の動力で伝達部材５０が回動することによってベース部材１０が移動したとき、当該ベース部材１０の移動による伝達部材５０の回動に伴って支持部材５３はサブベース、すなわち遊技機１の本体側に接続された箇所を回動中心として回動する。ベース部材１０と遊技機１の本体側を繋ぐのが伝達部材５０だけであると、接続部分が回動自在であるためにベース部材１０が伝達部材５０に対して回転してしまうため、伝達部材５０と略平行に位置する支持部材５３を用いることで、当該ベース部材１０の回転を防止している。つまり、伝達部材５０と支持部材５３は、ベース部材１０と遊技機１の本体側を繋ぐリンク機構を構成する。
【００２６】
ベース部材１０は、回転部材２０、第一演出部材３０、および第二演出部材４０を支持する平板状の部材である。本実施形態におけるベース部材１０は、略長方形状に形成されている。発光部材を設けたり、装飾を施したりすることにより、ベース部材１０自体が演出に寄与するようにしてもよい。ベース部材１０には、前後方向に貫通する第一ガイド孔１１および第二ガイド孔１２が形成されている。本実施形態における第一ガイド孔１１および第二ガイド孔１２はともに、略長方形状であるベース部材１０の長手方向に延びる長孔である。
【００２７】
回転部材２０は、ベース部材１０の後面に回転自在に支持された円盤状の部材である。回転部材２０の回転中心は、ベース部材１０の中央におけるやや第二演出部材４０側に位置する。回転部材２０には、第一誘導溝２１および第二誘導溝２２が形成されている。両溝は、回転部材２０の前面からベース部材１０側に突出した壁によって形成されるものである。すなわち、両溝は、回転部材２０とベース部材１０の間に位置する。なお、各溝は、本実施形態のように回転部材２０に凹みを形成したものであってもよいし、貫通孔（長孔）であってもよい。
【００２８】
第一誘導溝２１は、第一の部分２１１およびこれに連なる第二の部分２１２を含む。本実施形態における第一誘導溝２１の第一の部分２１１は、回転部材２０の回転中心からの距離が一定である部分である。第一誘導溝２１の第二の部分２１２は、回転部材２０の回転中心からの距離が変化する部分である。具体的には、第一誘導溝２１の第二の部分２１２は、第一の部分２１１側から離れるにつれて、だんだんと回転中心に近づくような形状に形成されている。
【００２９】
第二誘導溝２２は、第一の部分２２１およびこれに連なる第二の部分２２２を含む。また、本実施形態における第二誘導溝２２は、第一の部分２２１および第二の部分２２２に加え、第一の部分２２１における第二の部分２２２の反対側に連なる第三の部分２２３を含む。第二誘導溝２２の第一の部分２２１は、回転部材２０の回転中心からの距離が変化する部分である。具体的には、第二誘導溝２２の第一の部分２２１は、第三の部分２２３側から第二の部分２２２側に向かうにつれて、だんだんと回転中心に近づくような形状に形成されている。第二誘導溝２２の第二の部分２２２は、回転部材２０の回転中心からの距離が変化する部分である。具体的には、第二誘導溝２２の第二の部分２２２は、第一の部分２２１側から離れるにつれて、だんだんと回転中心から離れるような形状に形成されている。このように、第二誘導溝２２の第一の部分２２１と第二の部分２２２は、ともに、回転部材２０の回転中心からの距離が変化する形状であるが、その形状は異なる。第二誘導溝２２の第三の部分２２３は、回転部材２０の回転中心からの距離が一定である部分である。
【００３０】
回転部材２０には、歯車部２３が設けられている。この歯車部２３には、ラック部材６０のラック部６１が噛み合っている。ラック部材６０は、次のように伝達部材５０に接続されている。伝達部材５０の他端側には、ベース部材１０に対し回動自在に接続されたベース接続部５１が設けられている。つまり、ベース接続部５１は、ベース部材１０を支持するための支点である。また、伝達部材５０の他端側には、このベース接続部５１（支点）から外側に向かって突出する突起であるラック接続部５２が設けられている。このラック接続部５２に、上記ラック部材６０（ラック部６１が形成された箇所の反対側）が接続されている。
【００３１】
伝達部材５０が回動することによってベース部材１０が移動すると、ベース接続部５１を中心として伝達部材５０とベース部材１０の相対位置が変化する。これにより、ベース接続部５１を中心としてラック接続部５２が変位（回動）する。ラック接続部５２が変位すると、それに伴ってラック部材６０も略幅方向に沿うように変位する。かかるラック部材６０の変位により、歯車部２３が回転する。これにより、回転部材２０全体が回転することになる。つまり、ベース部材１０の移動とともに回転部材２０が回転することになる。
【００３２】
第一演出部材３０は、ベース部材１０の左側に支持された部材であって、第一装飾部３１、第一スライド部３２、および第一被誘導部３３を有する。第一装飾部３１は、一または複数の文字を模した装飾が施された本体部分であって、演出効果を発現する部分である。本実施形態では、文字列（一または複数の文字から構成されるものをいう。以下同じ）「ＡＢ」を模した（以下で特に説明する場合を除き、「模した」には、装飾部自体が文字を象る形状とされた態様、装飾部に文字がプリントされた別の部材が固定された態様等を含む）ものとなっている。第一装飾部３１は、ベース部材１０の前側に位置する。
【００３３】
本実施形態では、第一装飾部３１が構築する文字列「ＡＢ」の「Ｂ」は、幅方向に延びる画のみを有する文字となっている。より具体的には、第一装飾部３１の「Ｂ」の部分自体が、後述する第二演出部材４０のスライド方向に沿う（後述する第二スライド部４２に平行な）画のみを有する文字を象ったものである。このような文字としては、「一」、「二」、「三」、「（ー）長音符」等が例示できる。
【００３４】
装飾部の後方には、第一スライド部３２および第一被誘導部３３が一体成形された部材が固定されている。第一スライド部３２は、ベース部材１０に形成された第一ガイド孔１１内に通された部分である。第一演出部材３０は、この第一ガイド孔１１と第一スライド部３２の係合により、ベース部材１０に対し当該第一ガイド孔１１に沿うようにスライド自在に支持されているということになる。本実施形態では、第一ガイド孔１１はベース部材１０の長手方向に延びる長孔であるため、第一演出部材３０はベース部材１０に対しその長手方向にスライド自在に支持されているということになる。
【００３５】
第一被誘導部３３は、上記スライド部が第一ガイド孔１１を通されることによって、ベース部材１０の後方に位置する。本実施形態における第一被誘導部３３は、後方に向かって突出した突起である。第一被誘導部３３は、回転部材２０の第一誘導溝２１内に嵌まり込んでいる。第一演出部材３０の前後方向の動きは、第一被誘導部３３が第一誘導溝２１から外れることがない範囲で規制されている。
【００３６】
第二演出部材４０は、ベース部材１０の右側に支持された部材であって、第二装飾部４１、第二スライド部４２、および第二被誘導部４３を有する。一または複数の文字を模した装飾が施された本体部分であって、演出効果を発現する部分である。本実施形態では、文字列「ＣＤ」を模した形状となっている。また、本実施形態では、「Ｄ」の部分は、「Ｃ」の部分に対する相対位置を変化させることが可能な部分である。具体的には、「Ｄ」の部分に重力以外の力が何も作用していない状態においては、重力によって「Ｄ」の部分は「Ｃ」の部分の側方に位置する。「Ｄ」の部分は、当該位置から、「Ｃ」の部分の略上方に移動することが可能となるように、「Ｃ」の部分に対し回動自在に接続されている。
【００３７】
この第二装飾部４１は、ベース部材１０の前側に位置する。本実施形態における第二装飾部４１における第一装飾部３１側の側面は、第一装飾部３１が構成する文字列「ＡＢ」のうちの「Ｂ」が入り込むことができる開口４１２（上下方向の大きさが「Ｂ」よりも大きい開口）が形成されている（図１３参照）。
【００３８】
装飾部の後方には、第二スライド部４２および第二被誘導部４３が一体成形された部材が固定されている。第二スライド部４２は、ベース部材１０に形成された第二ガイド孔１２内に通された部分である。第二演出部材４０は、この第二ガイド孔１２と第二スライド部４２の係合により、ベース部材１０に対し当該第二ガイド孔１２に沿うようにスライド自在に支持されているということになる。本実施形態では、第二ガイド孔１２はベース部材１０の長手方向に延びる長孔であるため、第二演出部材４０はベース部材１０に対しその長手方向にスライド自在に支持されているということになる。
【００３９】
第二被誘導部４３は、上記スライド部が第二ガイド孔１２を通されることによって、ベース部材１０の後方に位置する。本実施形態における第二被誘導部４３は、後方に向かって突出した突起である。第二被誘導部４３は、回転部材２０の第二誘導溝２２内に嵌まり込んでいる。第二演出部材４０の前後方向の動きは、第二被誘導部４３が第二誘導溝２２から外れることがない範囲で規制されている。
【００４０】
以下、このように構成される文字演出ユニット１ｍの作用（動作）について、一部上記説明と重複するが詳細に説明する。ベース部材１０およびそれに支持された両演出部材は、表示装置９１（表示装置９１の表示画面のことをいう）に重なる第一位置と、遊技領域９０２（遊技盤９０）に重なる第二位置との間を移動可能である。
【００４１】
図５および図６に示す第一位置に位置するとき、第一演出部材３０と第二演出部材４０は最も離れた状態にある。このとき、第一装飾部３１と第二装飾部４１によって、ベース部材１０上に「ＡＢＣＤ」の文字列（以下、第一文字列と称する）が構築された演出態様にある。この状態で駆動源であるモータ７１を一方に回転させると、伝達部材５０が時計回りに回動する。これにより、伝達部材５０に接続されたベース部材１０は、当該伝達部材５０および支持部材５３に支持された状態で、伝達部材５０のベース接続部５１を中心として下方に移動していく。また、伝達部材５０が回動すると、ベース接続部５１を中心としてラック接続部５２が変位（回動）する。これにより、ラック接続部５２に接続されたラック部材６０がサブベース７０側に引っ張られ、ラック部材６０のラック部６１に噛み合う歯車部２３を有する回転部材２０が回転する。
【００４２】
第一位置に位置するとき、第一被誘導部３３は第一誘導溝２１の第一の部分２１１に嵌まり込んでおり、第二被誘導部４３は第二誘導溝２２の第三の部分２２３に嵌まり込んでいる。第一誘導溝２１の第一の部分２１１および第二誘導溝２２の第三の部分２２３は、ともに回転部材２０の回転中心からの距離が変化しない箇所であるから、回転部材２０が回転しても、ベース部材１０に対する第一演出部材３０および第二演出部材４０の相対位置は変化しない。つまり、ベース部材１０が移動を開始しても、しばらくの間は、両演出部材は相対位置を変化させずにベース部材１０とともに移動する（図５および図６に示した状態から、図７および図８に示した状態に変化する）。
【００４３】
ベース部材１０の移動によってさらに回転部材２０が回転すると、第一被誘導部３３が第一誘導溝２１の第一の部分２１１に嵌まり込んだ状態のまま、第二被誘導部４３が第二誘導溝２２の第三の部分２２３から第一の部分２２１に嵌まり込んだ状態に変化する。つまり、図７および図８に示した状態となった以降は、第一被誘導部３３が第一誘導溝２１の第一の部分２１１に誘導され、第二被誘導部４３が第二誘導溝２２の第一の部分２２１に誘導される状態となる。第一誘導溝２１の第一の部分２１１は、回転部材２０の回転中心からの距離が変化しない箇所であるため、ベース部材１０に対する第一演出部材３０の相対位置は変化しない。一方、第二誘導溝２２の第一の部分２２１は、回転部材２０の回転中心からの距離がだんだんと回転中心に近づいていく箇所であるため、第二誘導溝２２の第一の部分２２１に第二被誘導部４３が誘導されることにより、第二演出部材４０が回転部材２０の回転中心側に近づいていく。回転部材２０の回転中心はベース部材１０の中央側に設けられているため、第二演出部材４０はその第二スライド部４２が係合する第二ガイド孔１２に誘導されることにより、第一演出部材３０に近づく方向にスライドしていく（図７および図８に示した状態から、図９および図１０に示した状態に変化していく）。
【００４４】
このように第二演出部材４０が第一演出部材３０に近づく方向にスライドしていくと、第二演出部材４０の開口４１２（図１３参照）を通じて第一演出部材３０における第一装飾部３１の右側の部分が第二装飾部４１の内側に入り込んでいく。本実施形態では、第一装飾部３１の「ＡＢ」の部分のうち「Ｂ」の部分が第二装飾部４１に覆われていく。上述したように、「Ｂ」の部分は、第二演出部材４０のスライド方向に沿う画のみを有する文字を象ったものであるから、当該「Ｂ」の部分がスライドする第二演出部材４０のガイドとなる。第二被誘導部４３が第二誘導溝２２の第一の部分２２１の末端（第二の部分２２２側）まで移動すると、第一装飾部３１の「Ｂ」の部分が第二装飾部４１に完全に覆われる。つまり、第一演出部材３０と第二演出部材４０は最も近づいた状態となる。なお、本実施形態では、このように一方の演出部材に他方の演出部材が重なり、その重なる領域が大きくなっていく状態を「一方の演出部材が他方の演出部材に近づく」という。逆に重なる領域が小さくなっていく状態を「一方の演出部材が他方の演出部材から離れる」という。
【００４５】
第一演出部材３０と第二演出部材４０が最も近づいた状態となり、第一装飾部３１の「Ｂ」の部分が第二装飾部４１に完全に覆われると、ベース部材１０上に「ＡＣＤ」の文字列が構築された演出態様になる。つまり、第一位置において「ＡＢＣＤ」の第一文字列が構築された演出態様であったものが、ベース部材１０が移動するにつれて、回転部材２０の作用により、文字列「ＡＢＤ」に変化することになる。
【００４６】
ベース部材１０の移動によってさらに回転部材２０が回転すると、第一被誘導部３３が第一誘導溝２１の第一の部分２１１に嵌まり込んだ状態から第二の部分２１２に嵌まり込んだ状態に、第二被誘導部４３が第二誘導溝２２の第一の部分２２１に嵌まり込んだ状態から第二の部分２２２に嵌まり込んだ状態に変化する。つまり、図９および図１０に示した状態となった以降は、第一被誘導部３３が第一誘導溝２１の第二の部分２１２に誘導され、第二被誘導部４３が第二誘導溝２２の第二の部分２２２に誘導される状態となる。第一誘導溝２１の第一の部分２１１は、回転部材２０の回転中心からの距離がだんだんと回転中心に近づいていく箇所であるため、第一誘導溝２１の第二の部分２１２に第一被誘導部３３が誘導されることにより、第一演出部材３０が回転部材２０の回転中心側に近づいていく。一方、第二誘導溝２２の第二の部分２２２は、回転部材２０の回転中心からの距離がだんだんと回転中心から離れていく箇所であるため、第二誘導溝２２の第二の部分２２２に第二被誘導部４３が誘導されることにより、第二演出部材４０が回転部材２０の回転中心から離れていく。つまり、第一演出部材３０はその第一スライド部３２が係合する第一ガイド孔１１に誘導されることにより、第二演出部材４０側にスライドしていく。一方、第二演出部材４０はその第二スライド部４２が係合する第二ガイド孔１２に誘導されることにより、第一演出部材３０側の反対方向にスライドしていく。すなわち、両演出部材ともに、ベース部材１０に対し右方向にスライドする。本実施形態では、当該両演出部材のスライド速度（ベース部材１０の移動量（回転部材２０の回転量）に対する各演出部材のスライド量）が同じに設定されている。そのため、両演出部材は、互いの相対位置を変化させずに（「ＡＣＤ」の文字列を構築した状態のまま）ベース部材１０に対しスライドしていく（図９および図１０に示した状態から、図１１および図１２に示した状態に変化していく）。
【００４７】
ベース部材１０が第二位置に到達したときには、第一被誘導部３３が第一誘導溝２１の第二の部分２１２の末端に到達し、第二被誘導部４３が第二誘導溝２２の第二の部分２２２の末端に到達する。この状態において、ベース部材１０に対する両演出部材の変位の大きさは最も大きくなる（図１１および図１２参照）。
【００４８】
上述したように、第二位置は、遊技領域９０２（遊技盤９０）に重なる位置である。遊技盤９０の後方は種々の部材が配置されており、スペースが限られているため、まとまった大きなスペースが確保しづらいという問題がある。本実施形態では、ベース部材１０と両演出部材の相対位置を変化させる、すなわちベース部材１０と両演出部材をずらすことにより、ベース部材１０の収容スペースと、両演出部材の収容スペースを、ひとかたまりのスペースとして確保することができなくても、ベース部材１０と両演出部材を遊技盤９０後方のスペースに位置させることを可能にしている。
【００４９】
また、本実施形態では、第二装飾部４１が構成する文字列「ＣＤ」のうちの「Ｄ」の部分は、当該位置から、「Ｃ」の部分の略上方に移動することが可能となるように、「Ｃ」の部分に対し回動自在に接続されている。ベース部材１０が第二位置に向かって移動し、遊技盤９０の後方に進入すると、遊技盤９０の後方に設けられた図示されない規制部に当該「Ｄ」の部分が接触する。ベース部材１０が第二の位置に向かうに従い、「Ｄ」の部分は当該規制部に押され、「Ｃ」の部分の側方から略上方に移動する。ベース部材１０が第二位置に位置し、「Ｃ」の部分の略上方に移動した「Ｄ」の部分は、遊技領域９０２（遊技盤９０）に設けられた装飾等に覆われて、遊技者からは視認困難となる。
【００５０】
本実施形態では、遊技盤９０が透明な板で形成されている。そのため、上述した「Ｄ」の部分を覆うような装飾等が設けられた箇所以外の箇所は、遊技盤９０の後方に位置する部材が遊技者から視認可能となる。ベース部材１０とともに第二位置に到達した第一装飾部３１および第二装飾部４１の一部は、遊技盤９０における装飾等が設けられていない透明な箇所に重なる。つまり、第一装飾部３１における第二装飾部４１に覆われていない「Ａ」の部分、第二装飾部４１における「Ｃ」の部分は、遊技盤９０（遊技領域９０２）を通じて遊技者に視認可能となる。すなわち、遊技領域９０２の左下に重なる「ＡＣ」の文字列（以下、第二文字列と称する）が構築された状態となる（図２参照）。
【００５１】
ベース部材１０および両演出部材が第二位置に位置した状態でモータ７１を他方に回転させると、上述した流れとは逆の流れでベース部材１０および両演出部材が第一位置に戻る。つまり、ベース部材１０に対し両演出部材が相対位置を変化させた後、ベース部材１０が第一位置に向かって移動するに従い、第二演出部材４０が第一演出部材３０から離れる方向に移動していく。なお、第二装飾部４１の「Ｄ」の部分は、重力によって「Ｃ」の部分の側方に位置した状態に戻る。
【００５２】
このように、本実施形態における文字演出ユニット１ｍは、表示装置９１の表示画面に重なる第一位置において、「ＡＢＣＤ」の第一文字列を構築する。表示装置９１の表示画面に映像等を表示することにより、表示装置９１と組み合わされた演出態様を構成することも可能である。一方、遊技領域９０２（遊技盤９０）に重なる第二位置においては、「ＡＣ」の第二文字列を構築する。つまり、第一位置に位置するときとは異なる文字列を構築し、遊技領域９０２を装飾する演出要素として機能する。本実施形態では、通常遊技中（所定の演出を行うとき以外のとき）は、ベース部材１０および両演出部材が第二位置に位置し、遊技領域９０２を装飾する（第二文字列が発光する等の演出が実行されることがあってもよい）。所定の演出を行う際には、モータ７１を他方に回転させ、ベース部材１０および両演出部材を第一位置に位置させる。当該演出を終了させるときには、モータ７１を一方に回転させ、ベース部材１０および両演出部材を第二位置に戻す。
【００５３】
本実施形態では、第一位置に位置する第一演出部材３０および第二演出部材４０とともに、所定の演出を実行する第一装飾部材８１が設けられている。第一装飾部材８１は、第三文字列「ＥＦＧＨＩ」が象られた装飾部を有する。第一装飾部材８１は、所定の演出を実行するとき以外は、遊技盤９０の上側に覆われて遊技者に視認することができない位置に位置し、所定の演出を実行するときには下方に移動し、表示装置９１の表示画面に重なる位置に移動する。具体的には、第一位置に位置する第一演出部材３０および第二演出部材４０の下方に位置する。当該第一装飾部材８１を駆動する方法は、特定の方法に限定されるものではないため、説明は省略する。
【００５４】
したがって、当該所定の演出は、第一演出部材３０および第二演出部材４０によって構成される第一文字列「ＡＢＣＤ」と、第一装飾部材８１によって構成される第三文字列「ＥＦＧＨＩ」とが二段に配置されてなる第一複合文字列「ＡＢＣＤ／ＥＦＧＨＩ」が構築された演出態様となる（図１参照）。なお、第一文字列「ＡＢＣＤ」と第三文字列「ＥＦＧＨＩ」が直線状に並ぶ態様であってもよい。
【００５５】
一方、遊技領域９０２（遊技盤９０）の右下には、遊技盤９０における透明な箇所に重なる第二装飾部材８２が配置されている。第二装飾部材８２は第四文字列「ＪＫ」が象られた部材である。上記所定の演出が実行されるとき以外のとき、すなわち、第一演出部材３０および第二演出部材４０が第二位置に位置するときには、当該第一演出部材３０および第二演出部材４０によって構成される第二文字列「ＡＣ」と、第二装飾部材８２によって構成される第四文字列「ＪＫ」とが、遊技領域９０２の下側に並ぶように配置されてなる第二複合文字列「ＡＣＪＫ」が構築される（図２参照）。つまり、第一演出部材３０、第二演出部材４０、および第二装飾部材８２によって装飾された遊技領域９０２が構築される。
【００５６】
このように、第一位置において所定の演出を実行し、第二位置において遊技領域９０２を装飾する文字演出ユニット１ｍ（第一演出部材３０および第二演出部材４０）は、第一位置では第一装飾部材８１と組み合わされた第一複合文字列「ＡＢＣＤＥＦＧＨＩ」を構築し、第二位置では第二装飾部材８２と組み合わされた第二複合文字列「ＡＣＪＫ」を構築する。第一演出部材３０および第二演出部材４０は、第一位置と第二位置において異なる文字列（「ＡＢＣＤ」ｏｒ「ＡＣ」）を構成するため、各々を第一装飾部材８１や第二装飾部材８２が構成する別の文字列と組み合わせることにより、所定の演出時に構築される第一複合文字列と、遊技領域９０２を装飾しつつ、演出を行う要素としても使用可能な第二複合文字列を、別意（全く異なる内容である必要はない。例えば、「ＡＢＣＤＥＦＧＨＩ」の短縮形が、「ＡＣＪＫ」である、というように、両者が関連した内容であってもよい）のものとすることが可能である。
【００５７】
以上説明した本実施形態にかかる遊技機１によれば、次のような作用効果が奏される。
【００５８】
本実施形態における文字演出ユニット１ｍは、第一演出部材３０（第一装飾部３１）および第二演出部材４０（第二装飾部４１）によって第一文字列が構築された状態と、第二演出部材４０が移動することにより、第二演出部材４０が第一演出部材３０の一部を覆い、第二文字列が構築された状態のいずれかに変位する。つまり、第二演出部材４０の移動によって、構築される文字列が変化するから、従来に比して演出効果（装飾効果）を向上させることが可能である。
【００５９】
また、文字列の変化とともにユニット全体が第一位置から第二位置に移動する（ユニット全体の移動と文字列の変化が合わさる）ため、さらに演出効果を向上させることが可能となる。
【００６０】
また、本実施形態では、演出ユニットがその位置によって第一文字列または第二文字列に変化するものであることを利用し、第一文字列を第一装飾部材８１が構築する文字列と組み合わせることができる文字列とし、第二文字列を第二装飾部材８２が構築する文字列と組み合わせることができる文字列としている。これにより、演出ユニットの第一文字列と第一装飾部材８１の文字列が組み合わされて第一複合文字列が構築され、演出ユニットの第二文字列と第二装飾部材８２の文字列が組み合わされて第二複合文字列が構築される構成となり、演出ユニットが第一位置に位置するときと、第二位置に位置するときとで構成される複合文字列の違いが大きくなるから、演出ユニットの位置が変化したときの演出効果（装飾効果）を向上させることが可能となる。
【００６１】
また、第一演出部材３０（第一装飾部３１）における移動した第二演出部材４０に覆われる部分が模す文字「Ｂ」が、当該移動した演出部材の移動方向に沿う画のみを有するものである（「一」、「二」、「三」、「（ー）長音符」等である）ため、当該文字を、文字列を構築する要素としてだけでなく、移動する演出部材を誘導するガイドとしても機能させることが可能となる。なお、第二演出部材４０が上下方向にスライドする部材であって、構築される文字列が縦書である場合には、移動した第二演出部材４０に覆われる部分が模す文字「Ｂ」は、「１」や「Ｉ」、「縦書の（ー）長音符」等とすることが可能である。
【００６２】
以下、上記実施形態における文字演出ユニット１ｍの変形例について説明する。図１４に示す第一変形例にかかる文字演出ユニットは、第一演出部材１ａ、第二演出部材２ａ、および第三演出部材３ａを備える。
【００６３】
第一演出部材１ａ（の装飾部）は、複数の文字から構成される文字列「ＡＢ」を模したものである。第二演出部材２ａ（の装飾部）は、一の文字（文字列）「Ｄ」を模したものである。第三演出部材３ａ（の装飾部）は、一の文字（文字列）「Ｃ」を模したものである。
【００６４】
ユニット全体が第一位置に位置するとき、左から、第一演出部材１ａ、第三演出部材３ａ、第二演出部材２ａの順に並び、文字列「ＡＢＣＤ」が構築された状態にある（図１４（ａ）参照）。ユニット全体が第二位置に向かって移動すると、第一演出部材１ａおよび第二演出部材２ａが第三演出部材３ａ側、別の見方をすれば互いに近づく方向に移動する。第二位置に到達し、第一演出部材１ａおよび第二演出部材２ａが最も近づいた状態となると、かかる第一演出部材１ａおよび第二演出部材２ａによって第三演出部材３ａが覆われる。これにより、文字列「ＡＢＤ」が構築された状態となる（図１４（ｂ）参照）。
【００６５】
この第一変形例にかかる文字演出ユニットのように、移動する演出部材は複数であってもよい。
【００６６】
第二変形例にかかる文字演出ユニットについて説明する。図１５に示す第二変形例にかかる文字演出ユニットは、第一演出部材１ｂ、第二演出部材２ｂ、および第三演出部材３ｂを備える。
【００６７】
第一演出部材１ｂ（の装飾部）は、一の文字から構成される文字列の一部を模したものである。図１５に示したものは、文字「Ａ」の左半分を模した形状である。第二演出部材２ｂ（の装飾部）は、第一演出部材１ｂと同様に、一の文字の一部を模したものである。図１５に示したものは、文字「Ａ」の右半分を模した形状である。第三演出部材３ｂ（の装飾部）は、複数の文字の少なくとも一部を模したものである。図１５に示したものは、少なくとも、文字列「ＡＢＡ」のうち、左側の「Ａ」の左半分および右側の「Ａ」の右半分以外の箇所を模したものである。
【００６８】
ユニット全体が第一位置に位置するとき、左から、第一演出部材１ｂ、第三演出部材３ｂ、第二演出部材２ｂの順に並び、文字列「ＡＢＡ」が構築された状態にある（図１５（ａ）参照）。左側の「Ａ」は、第一演出部材１ｂと第三演出部材３ｂによって構築され、右側の「Ａ」は第二演出部材２ｂと第三演出部材３ｂによって構築される。ユニット全体が第二位置に向かって移動すると、第一演出部材１ｂおよび第二演出部材２ｂが第三演出部材３ｂ側、別の見方をすれば互いに近づく方向に移動する。第二位置に到達し、第一演出部材１ｂおよび第二演出部材２ｂが最も近づいた状態となると、かかる第一演出部材１ｂおよび第二演出部材２ｂによって第三演出部材３ｂが覆われる。これにより、第一演出部材１ｂの「Ａ」の左半分と第二演出部材２ｂの「Ａ」の右半分が組み合わされることにより、文字列「Ａ」が構築された状態となる（図１５（ｂ）参照）。
【００６９】
この第二変形例にかかる文字演出ユニットのように、各演出部材が模す文字列は、一または複数の文字の一部であってもよい。
【００７０】
第三変形例について説明する。図１６に示す第二変形例にかかる文字演出ユニットは、第一演出部材１ｃおよび第二演出部材２ｃを備える。
【００７１】
第一演出部材１ｃ（の装飾部）は、一の文字（文字列）「Ａ」を模したものである。第二演出部材２ｃ（の装飾部）は、複数の文字から構成される文字列「ＢＣ」を模したものである。
【００７２】
ユニット全体が第一位置に位置するとき、左から、第一演出部材１ｃ、第二演出部材２ｃの順に並び、文字列「ＡＢＣ」が構築された状態にある（図１６（ａ）参照）。ユニット全体が第二位置に向かって移動すると、第二演出部材２ｃが第一演出部材１ｃ側に移動する。第二位置に到達し、第一演出部材１ｃおよび第二演出部材２ｃが最も近づいた状態となると、移動した第二演出部材２ｃが第一演出部材１ｃに覆われる。これにより、文字列「ＡＣ」が構築された状態となる（図１６（ｂ）参照）。
【００７３】
この第三変形例にかかる文字演出ユニットのように、移動した演出部材が他の演出部材に覆われることにより、文字列が変化する構成としてもよい。また、移動した演出部材と他の演出部材が互いに覆い合うことにより、文字列が変化する構成としてもよい。
【００７４】
第四変形例について説明する。図１７に示す第四変形例にかかる文字演出ユニットは、第一演出部材１ｄおよび第二演出部材２ｄを備える。
【００７５】
第一演出部材１ｄ（の装飾部）は、一の文字から構成される文字列「Ａ」を模したものである。第二演出部材２ｄ（の装飾部）は、複数の文字から構成される文字列「ＢＣ」を模したものである。
【００７６】
ユニット全体が第一位置に位置するとき、左から、第一演出部材１ｄ、第二演出部材２ｄの順に並び、文字列「ＡＢＣ」が構築された状態にある（図１７（ａ）参照）。ユニット全体が第二位置に向かって移動すると、第二演出部材２ｄが第一演出部材１ｄ側に移動する。第二位置に到達し、第一演出部材１ｄおよび第二演出部材２ｄが最も近づいた状態となると、第一演出部材１ｄの全部が移動した第二演出部材２ｄに覆われる。これにより、文字列「ＢＣ」が構築された状態となる（図１７（ｂ）参照）。
【００７７】
この第四変形例にかかる文字演出ユニットのように、他の演出部材の全部が移動した演出部材に覆われることにより、文字列が変化する構成としてもよい。また、移動した演出部材の全部が他の演出部材に覆われることにより、文字列が変化する構成（第三変形例と第四変形例の組み合わせ）としてもよい。
【００７８】
以上、本発明の実施の形態について詳細に説明したが、本発明は上記実施の形態に何ら限定されるものではなく、本発明の要旨を逸脱しない範囲で種々の改変が可能である。
【００７９】
上記実施形態では、第二位置に位置するとき、第二演出部材４０（第二装飾部４１）の「Ｄ」の部分が移動し、遊技者からは視認困難となることを説明したが、そのまま「ＣＤ」の文字列を構成するものであってもよい。つまり、第二文字列として「ＡＣＤ」の文字列が構築される構成としてもよい。
【００８０】
上記実施形態では、第一位置に位置する演出ユニットが構築する第一文字列と、第一装飾部材８１とが組み合わされて第一複合文字列が構築され、第二位置に位置する演出ユニットが構築する第二文字列と、第二装飾部材８２とが組み合わされて第二複合文字列が構築されることを説明したが、第一文字列および第二文字列の一方が、装飾部材と組み合わされて複合文字列を構築し、他方がそのままの態様で演出（装飾）に用いられる構成としてもよい。また、両方がそのままの態様で演出（装飾）に用いられる構成としてもよい。
上記実施形態から得られる具体的手段の例を以下に記載する。
手段１にかかる遊技機は、各々が一または複数の文字の一部または全体を模した複数の演出部材を有する文字演出ユニットを備え、前記文字演出ユニットは、前記複数の演出部材によって第一文字列が構築された状態と、前記複数の演出部材のうちの少なくとも一つの演出部材が移動することにより、当該移動する演出部材が当該演出部材の一方側に位置する一または複数の演出部材の少なくとも一部を覆い、または当該移動する演出部材の少なくとも一部が当該演出部材の一方側に位置する一または複数の演出部材に覆われ、前記第一文字列とは異なる第二文字列が構築された状態と、のいずれかに変位することを特徴とする。
手段２にかかる遊技機は、上記手段１に記載の遊技機において、前記文字演出ユニットは、少なくとも第一位置と第二位置との間を移動可能であり、一方の位置から他方の位置に移動する際に、少なくとも一つの演出部材が移動することにより、前記第一位置に位置するときに前記第一文字列が構築され、前記第二位置に位置するときに第二文字列が構築されることを特徴とする。
手段３にかかる遊技機は、上記段２に記載の遊技機において、遊技者に視認可能な所定位置に位置することが可能であり、一または複数の文字の一部または全体を模した第三文字列を構築する第一装飾部材を備え、前記文字演出ユニットが第一位置または第二位置に位置し、前記第一装飾部材が所定位置に位置することで、前記第一文字列または前記第二文字列と前記第三文字列が組み合わされた複合文字列が構築されることを特徴とする。
手段４にかかる遊技機は、上記手段２に記載の遊技機において、遊技者に視認可能な所定位置に位置することが可能であり、一または複数の文字の一部または全体を模した第三文字列を構築する第一装飾部材と、遊技者に視認可能な所定位置に位置することが可能であり、一または複数の文字の一部または全体を模した第四文字列を構築する第二装飾部材と、を備え、前記文字演出ユニットが第一位置または第二位置の一方に位置し、前記第一装飾部材が所定位置に位置することで、前記第一文字列または前記第二文字列の一方と前記第三文字列が組み合わされた第一複合文字列が構築され、前記文字演出ユニットが第一位置または第二位置の他方に位置し、前記第二装飾部材が所定位置に位置することで、前記第一文字列または前記第二文字列の他方と前記第四文字列が組み合わされた第二複合文字列が構築されることを特徴とする。
手段５にかかる遊技機は、上記手段１から手段４のいずれかに記載の遊技機において、一端側が遊技機本体前記移動した演出部材に覆われる部分が模す文字は、当該移動した演出部材の移動方向に沿う画のみを有するものであることを特徴とする。
手段１にかかる遊技機は、複数の演出部材によって第一文字列が構築された状態と、複数の演出部材のうちの少なくとも一つの演出部材が移動することにより、当該移動する演出部材が他の演出部材の少なくとも一部を覆い、または当該移動する演出部材の少なくとも一部が他の演出部材に覆われ、第二文字列が構築された状態のいずれかに変位する。つまり、ある演出部材の移動によって、複数の演出部材によって構築される文字列が変化するから、従来に比して演出効果（装飾効果）を向上させることが可能である。
手段２にかかる遊技機のように、ユニット全体が移動する構成とし、当該移動によって構築される文字列が変化する構成とすれば、ユニット全体の移動と文字列の変化が合わさるため、さらに演出効果を向上させることが可能となる。
手段３にかかる遊技機のように、演出ユニットが構築する文字列と、第一装飾部材が構築する文字列と組み合わされて、複合文字列が構成される態様とすれば、演出ユニットが第一位置に位置するときと、第二位置に位置するときとで構成される文字列（複合文字列）の違いが大きくなるから、演出ユニットの位置が変化したときの演出効果を向上させることが可能となる。また、演出ユニットがその位置によって第一文字列または第二文字列に変化するものであることを利用し、一方の文字列を第一装飾部材が構築する文字列と組み合わせることができる文字列とすることが可能である。
手段４にかかる遊技機のように、演出ユニットが構築する文字列と、第一装飾部材または第二装飾部材が構築する文字列と組み合わされて、複合文字列が構成される態様とすれば、演出ユニットが第一位置に位置するときと、第二位置に位置するときとで構成される複合文字列の違いが大きくなるから、演出ユニットの位置が変化したときの演出効果を向上させることが可能となる。また、演出ユニットがその位置によって第一文字列または第二文字列に変化するものであることを利用し、一方の文字列を第一装飾部材が構築する文字列と組み合わせることができる文字列とし、他方の文字列を第二装飾部材が構築する文字列と組み合わせることができる文字列とすることが可能である。
手段５にかかる遊技機の発明のように、移動した演出部材に覆われる部分が模す文字が、当該移動した演出部材の移動方向に沿う画のみを有するものであれば、当該文字を、移動する演出部材を誘導するガイドとしても機能させることが可能となる。
【符号の説明】
【００８１】
１  遊技機
１ｍ  文字演出ユニット
１０  ベース部材
１１  第一ガイド孔
１２  第二ガイド孔
２０  回転部材
２１  第一誘導溝
２１１  第一誘導溝の第一の部分
２１２  第一誘導溝の第二の部分
２２  第二誘導溝
２２１  第二誘導溝の第一の部分
２２２  第二誘導溝の第二の部分
２３  歯車部
３０  第一演出部材
３１  第一装飾部
３２  第一スライド部
３３  第一被誘導部
４０  第二演出部材
４１  第二装飾部
４１２  開口
４２  第二スライド部
４３  第二被誘導部
５０  伝達部材
５１  ベース接続部
５２  ラック接続部
６０  ラック部材
６１  ラック部
８１  第一装飾部材
８２  第二装飾部材
９０  遊技盤
９０１  開口
９０２  遊技領域
９１  表示装置
【図１】
0005849262.tif 000002
【図２】
0005849262.tif 000003
【図３】
0005849262.tif 000004
【図４】
0005849262.tif 000005
【図５】
0005849262.tif 000006
【図６】
0005849262.tif 000007
【図７】
0005849262.tif 000008
【図８】
0005849262.tif 000009
【図９】
0005849262.tif 000010
【図１０】
0005849262.tif 000011
【図１１】
0005849262.tif 000012
【図１２】
0005849262.tif 000013
【図１３】
0005849262.tif 000014
【図１４】
0005849262.tif 000015
【図１５】
0005849262.tif 000016
【図１６】
0005849262.tif 000017
【図１７】
0005849262.tif 000018